(57)【要約】【課題】アナログ入力端子の増設が可能で、必要に応じて端子数を増減することができるネットワーク環境監視装置を提供する。【解決手段】ネットワーク環境監視装置１の背面に１つの通信用端子８を設ける。また、複数のアナログ入力端子５をユニット化し、この端子ユニット６に２つの通信用端子７を設ける。ネットワーク環境監視装置１の通信用端子８に通信ケーブル９の一端を接続し、他端を端子ユニット６の一方の通信用端子７に接続する。端子ユニット６のアナログ入力端子にはセンサ２等を接続することができる。また、別の端子ユニット６を増設するには、端子ユニット６の他方の通信用端子７に通信ケーブル９の一端を接続し、他端を別の端子ユニット６の通信用端子７に接続することにより行う。【選択図】図１
2005092405.tif 000002
【特許請求の範囲】
【請求項１】
各種センサによる温度や電力等の監視や、各種電気機器の制御をネットワークを介して接続したコンピュータによって遠隔で行うためのネットワーク環境監視装置において、アナログ入力端子をユニット化して端子ユニットを構成し、複数の端子ユニットをディジーチェーン接続可能にしたことを特徴とするネットワーク環境監視装置。
【請求項２】
複数の前記端子ユニットに個別の識別ＩＤを付したことを特徴とする請求項１に記載のネットワーク環境監視装置。
【発明の詳細な説明】
【技術分野】
【０００１】
本発明は、温度、湿度、電力、扉の開閉状態等の監視や、電気錠や換気装置等の電気機器の制御をネットワークを介して接続されたコンピュータによって遠隔で行うネットワーク環境監視装置に関する。
【背景技術】
【０００２】
図２に示すようにネットワーク環境監視装置２１は、各種センサ２２によって温度や電力を計測し、インターネットやＬＡＮ等のネットワーク２３を介して接続したコンピュータ２４によって遠隔で監視・制御できるようになっている。装置２１の背面には各種センサ２２やネットワーク用ケーブルや電源ケーブル等を接続するための各種の接続端子３２が設けられ、接続端子３２の一つであるアナログ入力端子２５は装置２１の背面に複数個設けられていた（例えば、非特許文献１参照。）。
【非特許文献１】“ネットワーク環境監視装置”［online］、平成１４年３月、河村電器産業株式会社、［平成１５年８月１９日検索］、インターネット＜ＵＲＬ：http://www.kawamura.co.jp/rack/lineup/rp48/index.html＞
【発明の開示】
【発明が解決しようとする課題】
【０００３】
近年、センサによる計測箇所が増えてきており、センサの数と同じ数のアナログ入力端子が必要であるが、アナログ入力端子の数には限りがあり、増設することもできないので対応できなくなっていた。また、アナログ入力端子によって装置の背面スペースが広く取られていたため、他の接続端子のためのスペースが少なくなっていた。また、アナログ入力端子が故障するとネットワーク環境監視装置本体ごと交換しなければならなかった。更に、ネットワーク環境監視装置から離れた場所に複数のセンサを取り付ける場合、センサの数と同じ本数のケーブルを引き回さなければならず煩雑になっていた。
【課題を解決するための手段】
【０００４】
本発明は、請求項１に記載の発明によれば、各種センサによる温度や電力等の監視や、各種電気機器の制御をネットワークを介して接続したコンピュータによって遠隔で行うためのネットワーク環境監視装置において、アナログ入力端子をユニット化して端子ユニットを構成し、複数の端子ユニットをディジーチェーン接続可能にしたことを特徴とする。
【０００５】
また、請求項２に記載の発明によれば、請求項１に記載のネットワーク環境監視装置において、複数の端子ユニットに個別の識別ＩＤを付したことを特徴とする。
【発明の効果】
【０００６】
本発明のネットワーク環境監視装置は、アナログ入力端子の増設が可能で、装置の背面スペースにおけるアナログ入力端子の占有スペースが縮小するので他の接続端子のスペースを拡大することができ、装置本体の製造コストも低減することができる。また、アナログ入力端子が故障した場合でも容易に交換でき、保守性が向上する。更にネットワーク環境監視装置から離れた場所に複数のセンサを取り付ける場合、装置本体と端子ユニットとの接続は１本のケーブルで行うのでケーブルの引きまわしが煩雑にならないという効果がある。
【発明を実施するための最良の形態】
【０００７】
ネットワーク環境監視装置の背面に１つの通信用端子を設ける。また、複数のアナログ入力端子をユニット化し、この端子ユニットに２つの通信用端子を設ける。ネットワーク環境監視装置の通信用端子に通信ケーブルの一端を接続し、他端を端子ユニットの一方の通信用端子に接続する。端子ユニットのアナログ入力端子にはセンサ等を接続することができる。また、別の端子ユニットを増設するには、端子ユニットの他方の通信用端子に通信ケーブルの一端を接続し、他端を別の端子ユニットの通信用端子に接続することにより行う。
【実施例１】
【０００８】
本発明に係るネットワーク環境監視装置の実施例を図１の添付図面に基づいて説明する。
【０００９】
ネットワーク環境監視装置１は、例えば、ＨＵＢやサーバーを収納するためのラック（図示せず）に取り付けたセンサ２によって温度、湿度、電力、扉の開閉状態等をインターネットやＬＡＮ等のネットワーク３を介して接続したコンピュータ４を使って遠隔で監視したり、ラックに装着した電機錠や換気装置をコンピュータ４を使って遠隔で制御することができる。
【００１０】
ネットワーク環境監視装置１は薄型の箱状に形成され、背面に複数種類の接続端子が設けられている。センサ２を接続するためのアナログ入力端子５は、ネットワーク環境監視装置１の背面には設けられず、複数のアナログ入力端子５をユニット化して別体で設けられる。このユニット化された端子ユニット６にはアナログ入力端子５とは別に２つの通信用端子７が設けられている。また、ネットワーク環境監視装置１の背面の接続端子には端子ユニット６を接続するための通信用端子８が１つだけ設けられている。
【００１１】
ネットワーク環境監視装置１と端子ユニット６とは通信ケーブル９によって接続される。通信ケーブル９は両端にコネクタ（図示せず）が設けられ、一方のコネクタをネットワーク環境監視装置１の通信用端子８に接続し、他方のコネクタを端子ユニット６の一方の通信用端子７に接続する。尚、通信ケーブル９の長さを長くすることにより、ネットワーク環境監視装置１から離れた場所に端子ユニット６を設置することができる。このため、ネットワーク環境監視装置１から離れた場所に複数のセンサ２を取り付ける場合に装置本体１と端子ユニット６との接続は１本の通信ケーブル９で行うのでケーブル９の引きまわしが煩雑にならない。
【００１２】
また、端子ユニット６の通信用端子７は２つあるため、複数の端子ユニット６をディジーチェーン接続して増設することもできる。接続はネットワーク環境監視装置１との接続と同様に通信ケーブル９を用い、通信ケーブル９の一方のコネクタを端子ユニット６の他方の通信用端子７に接続し、通信ケーブル９の他方のコネクタを別の端子ユニット６の通信用端子７に接続することにより行う。端子ユニット６の増設は必要に応じて行うことができる。
【００１３】
端子ユニット６は、内部にＡ／Ｄ変換回路１０と通信回路１１とが組み込まれており、アナログ入力端子５から入力されたアナログ信号をＡ／Ｄ変換回路１０によってデジタル信号に変換し、通信回路１１によってネットワーク環境監視装置１に送信している。端子ユニット６は個別に識別ＩＤを付けてあり、この識別ＩＤによってネットワーク環境監視装置１との通信時に端子ユニット６を識別できるようになっている。尚、端子ユニット６の回路を駆動するための電源は通信ケーブル９を介してネットワーク環境監視装置１から供給されている。
【図面の簡単な説明】
【００１４】
【図１】本発明に係るネットワーク環境監視装置と端子ユニットを示すブロック図である。
【図２】従来のネットワーク環境監視装置を示すブロック図である。
【符号の説明】
【００１５】
１    ネットワーク環境監視装置
２    センサ
３    ネットワーク
４    コンピュータ
５    アナログ入力端子
６    端子ユニット
７    通信用端子
８    通信用端子
９    通信ケーブル
【図１】
2005092405.tif 000003
【図２】
2005092405.tif 000004